【手続補正書】
【提出日】平成26年6月23日(2014.6.23)
【手続補正１】
【補正対象書類名】特許請求の範囲
【補正対象項目名】全文
【補正方法】変更
【補正の内容】
【特許請求の範囲】
【請求項１】
映像再生領域と、
前記映像再生領域における、領域ベースのトーンマッピングのための領域的現在映像出力セクションと、
前記映像再生領域における、大域ベースのトーンマッピングのための大域的現在映像出力セクションと、
前記領域的現在映像出力セクションにおける領域的映像セクションおよび領域的ヒストグラム領域と、
前記大域的現在映像出力セクションにおける大域的映像セクションおよび大域的ヒストグラム領域と、
複数の領域に関する領域的可変露出制御および領域的可変コントラスト制御を有する領域的制御セクションと、
大域的可変露出制御および大域的可変コントラスト制御を有する大域的制御セクションと、
を備え、
前記領域的現在映像出力セクション、前記大域的現在映像出力セクション、前記領域的映像セクション、前記大域的映像セクション、前記領域的ヒストグラム領域、前記大域的ヒストグラム領域、前記領域的制御セクション、および前記大域的制御セクションはスクリーン上に同時に表示される、ユーザインターフェース。
【請求項２】
前記大域的ヒストグラム領域においてアンカーポイントを備える、請求項１に記載のユーザインターフェース。
【請求項３】
前記アンカーポイントは、前記ユーザインターフェースを介して変更可能である、請求項２に記載のユーザインターフェース。
【請求項４】
オペレータセクションおよびタイムラインを備え、前記タイムラインは、処理されている映像のフレームの時間を示し、前記タイムラインおよび前記オペレータセクションは前記スクリーン上に同時に表示される、請求項１に記載のユーザインターフェース。
【請求項５】
処理されている映像のフレームの個々の色ヒストグラムを前記スクリーン上に同時に示す色ヒストグラム領域を備える、請求項１に記載のユーザインターフェース。
【請求項６】
前記色ヒストグラムに関連する個々の色について露出過度または露出不足である色ごとの画素の数の測定値を同時に示す読出セクションを前記色ヒストグラム領域において備える、請求項５に記載のユーザインターフェース。
【請求項７】
前記処理されている映像のフレームの個々の色ヒストグラムを前記スクリーン上に同時に示す色ヒストグラム領域を備える、請求項４に記載のユーザインターフェース。
【請求項８】
前記色ヒストグラムに関連する個々の色について露出過度または露出不足である色ごとの画素の数の測定値を同時に示す読出セクションを前記色ヒストグラム領域において備える、請求項７に記載のユーザインターフェース。
【請求項９】
前記オペレータセクションは前記タイムラインに沿って伸びる複数のオペレータバーを備え、前記オペレータバーは１つまたは複数のオペレータを保持し表示するように適合される、請求項４に記載のユーザインターフェース。
【請求項１０】
前記オペレータは、ぼかしフィルタ、遷移処理部、領域ベースオペレータ、または大域ベースのオペレータである、請求項９に記載のユーザインターフェース。
【請求項１１】
前記ユーザインターフェースは、ハイダイナミックレンジの映像データをロウダイナミックレンジの映像データに変換するように適合される、請求項１に記載のユーザインターフェース。
【請求項１２】
映像データを処理する方法であって、
前記映像データのフレームをグラフィカルユーザインターフェースの映像再生領域に表示するステップであって、前記フレームが領域ベースのトーンマッピングのための領域的現在映像出力セクション、および大域ベースのトーンマッピングのための大域的現在映像出力セクションに表示され、前記領域的現在映像出力セクションおよび前記大域的現在映像出力セクションが並んで配置される、ステップと、
領域的制御セクションを前記映像再生領域に隣接して表示するステップであって、前記領域的制御セクションが、複数の領域に関する領域的可変露出制御手段および領域的可変コントラスト制御手段を有する、ステップと、
大域的制御セクションを前記領域的制御セクションに隣接して表示するステップであって、前記大域的制御セクションが、大域的可変露出制御手段および大域的可変コントラスト制御手段を有する、ステップと、
を含み、
前記領域的現在映像出力セクションおよび前記大域的現在映像出力セクションはスクリーン上に同時に表示される、前記方法。
【請求項１３】
領域的映像セクションおよび領域的ヒストグラム領域を前記領域的現在映像出力セクションに表示するステップであって、アンカーポイントが前記大域的ヒストグラム領域に表示される、ステップと、
大域的映像セクションおよび大域的ヒストグラム領域を前記大域的現在映像出力セクションに表示するステップと、
を含む、請求項１２に記載の方法。
【請求項１４】
オペレータセクションおよびタイムラインをお互いに隣接させて前記映像再生領域の下方に表示するステップであって、前記タイムラインは処理されている映像のフレームの時間を示し、前記タイムラインおよび前記オペレータセクションが前記スクリーン上に同時に表示される、ステップを含む、請求項１３に記載の方法。
【請求項１５】
前記処理されている映像のフレームの個々の色ヒストグラムを前記スクリーン上に同時に示す色ヒストグラム領域を表示するステップであって、前記色ヒストグラム領域が前記映像再生領域に隣接する、ステップを含む、請求項１４に記載の方法。
【手続補正２】
【補正対象書類名】明細書
【補正対象項目名】０００７
【補正方法】変更
【補正の内容】
【０００７】
ここで、本発明を以下の添付の図面を参照して例を用いて説明する。
【図１】第１の時点でのユーザインターフェースの第１のビューを示す図である。
【図２】多数の露出過度の画素の導入が強調される第２の時点でのユーザインターフェースの第２のビューを示す図である。
【図３】多数の露出過度の画素の導入が強調される第２の時点でのユーザインターフェースの第２のビューを示す図である。
【図４】追加的なオペレータおよび／またはフィルタの追加および表示が可能であることが強調される第３の時点でのユーザインターフェースの第４のビューを示す図である。
【図５】追加的なオペレータおよび／またはフィルタの他のオペレータバー内への追加および表示が可能であることが強調される第３の時点でのユーザインターフェースの第５のビューを示す図である。
【図６】露出およびコントラストのレベルの変更が可能であることが強調される第１の時点でのユーザインターフェースの第６のビューを示す図である。
【図７】アンカーポイントの切替えが可能であることが強調される第４の時点でのユーザインターフェースの第７のビューを示す図である。
【図８】各色に同時に存在する露出不足の画素および露出過度の画素を数えることが可能であることが強調される第４の時点でのユーザインターフェースの第８のビューを示す図である。
【手続補正３】
【補正対象書類名】明細書
【補正対象項目名】００２５
【補正方法】削除
【補正の内容】
【手続補正４】
【補正対象書類名】明細書
【補正対象項目名】００４２
【補正方法】変更
【補正の内容】
【００４２】
以下のリストは多数の種々の実装をまとめたものである。このリストは、網羅することではなく、数多くの可能性のある実装のいくつかを単に例示することを意図するものである。
１．映像にトーンマッピングを実行するための情報の表示。
２．実装１、トーンマッピングを制御するユーザ入力を受け取ることを含む。
３．実装１−２、ユーザ入力の結果、表示される情報を変更する。
４．実装１−３、表示される情報は、トーンマッピング前の映像、トーンマッピング後の映像、参照モデルを使用したトーンマッピング後の映像、映像の処理に使用されるパラメータの内の１つまたは複数を含む。
５．実装４、パラメータは、１フレームまたは複数フレーム（例えばシーケンス）の平均輝度、１フレームまたは複数フレームの色ヒストグラム、１つまたは複数のフレームを領域に区分するためのアンカーポイントの位置、１つまたは複数の領域の露出またはコントラストの制御、オペレータの配置を示すタイムチャートの内の１つまたは複数を含む。
６．実装１−５、表示によりユーザにフレームベースのデータ（例えば、平均輝度）が示され、ユーザがオペレータの開始および／または終了の時間を入力し、ユーザが入力した新しい時間に基づく新しいトーンマッピングされた出力が、表示により示される。
７．実装１−５、表示により、ユーザに１つまたは複数の画像を区分するためのアンカーポイントが示され、ユーザがアンカーポイントを移動させ、その結果新しい区分が得られ、表示により、新しい区分（例えば、マスク）を示す情報が、新しい区分に基づく新しいトーンマッピングされた出力に加えて示される。
８．１つまたは複数の上記の実装を実行する、例えば、プリプロセッサ、エンコーダ、送信機、受信機、デコーダ、またはポストプロセッサに含まれる処理装置。
９．実装８の処理装置を含む、例えば、プリプロセッサ、エンコーダ、送信機、受信機、デコーダ、ポストプロセッサ、セットトップボックス、携帯電話、ラップトップもしくは他のパーソナルコンピュータ、ＰＤＡ、または他の民生用通信機器などの装置。
１０．１つまたは複数の上記の実装から生成される、または、１つまたは複数の上記の実装の装置により提供されるデータまたは記述的情報を含む信号。
本発明の好ましい実施形態を以下に示す。
付記１．映像再生領域と、
前記映像再生領域における、領域ベースのトーンマッピングのための領域的現在映像出力セクションと、
前記映像再生領域における、大域ベースのトーンマッピングのための大域的現在映像出力セクションと、
前記領域的現在映像出力セクションにおける領域的映像セクションおよび領域的ヒストグラム領域と、
前記大域的現在映像出力セクションにおける大域的映像セクションおよび大域的ヒストグラム領域と、
複数の領域に関する領域的可変露出制御および領域的可変コントラスト制御を有する領域的制御セクションと、
大域的可変露出制御および大域的可変コントラスト制御を有する大域的制御セクションと、
を備え、
前記領域的現在映像出力セクション、前記大域的現在映像出力セクション、前記映像セクション、前記ヒストグラム領域、および前記制御セクションはスクリーン上に同時に表示される、ユーザインターフェース。
付記２．前記大域的ヒストグラム領域においてアンカーポイントを備える、付記１に記載のユーザインターフェース。
付記３．前記アンカーポイントは、前記ユーザインターフェースを介して変更可能である、付記２に記載のユーザインターフェース。
付記４．オペレータセクションおよびタイムラインを備え、前記タイムラインは、処理されている映像のフレームの時間を示し、前記タイムラインおよび前記オペレータセクションは前記スクリーン上に同時に表示される、付記１に記載のユーザインターフェース。
付記５．前記処理されている映像のフレームの個々の色ヒストグラムを前記スクリーン上に同時に示す色ヒストグラム領域を備える、付記１に記載のユーザインターフェース。
付記６．前記色ヒストグラムに関連する個々の色について露出過度または露出不足である色ごとの画素の数の測定値を同時に示す読出セクションを前記色ヒストグラム領域において備える、付記５に記載のユーザインターフェース。
付記７．前記処理されている映像のフレームの個々の色ヒストグラムを前記スクリーン上に同時に示す色ヒストグラム領域を備える、付記４に記載のユーザインターフェース。
付記８．前記色ヒストグラムに関連する個々の色について露出過度または露出不足である色ごとの画素の数の測定値を同時に示す読出セクションを前記色ヒストグラム領域において備える、付記７に記載のユーザインターフェース。
付記９．前記オペレータセクションは前記タイムラインに沿って伸びる複数のオペレータバーを備え、前記オペレータバーは１つまたは複数のオペレータを保持かつ表示するように適合される、付記４に記載のユーザインターフェース。
付記１０．前記オペレータは、ぼかしフィルタ、遷移処理部、領域ベースオペレータ、または大域ベースのオペレータである、付記９に記載のユーザインターフェース。
付記１１．前記ユーザインターフェースは、ハイダイナミックレンジの映像データをロウダイナミックレンジの映像データに変換するように適合される、付記１に記載のユーザインターフェース。
付記１２．映像データを処理する方法であって、
前記映像データのフレームをグラフィカルユーザインターフェースの映像再生領域に表示するステップであって、前記フレームが領域ベースのトーンマッピングのための領域的現在映像出力セクション、および大域ベースのトーンマッピングのための大域的現在映像出力セクションに表示され、前記領域的現在映像出力セクションおよび前記大域的現在映像出力セクションが並んで配置される、ステップと、
領域的制御セクションを前記映像再生領域に隣接して表示するステップであって、前記領域的制御セクションが、複数の領域に関する領域的可変露出制御手段および領域的可変コントラスト制御手段を有する、ステップと、
大域的制御セクションを前記領域的制御セクションに隣接して表示するステップであって、前記大域的制御セクションが、大域的可変露出制御手段および大域的可変コントラスト制御手段を有する、ステップと、
を含み、
前記領域的現在映像出力セクションおよび前記大域的現在映像出力セクションはスクリーン上に同時に表示される、前記方法。
付記１３．領域的映像セクションおよび領域的ヒストグラム領域を前記領域的現在映像出力セクションに表示するステップであって、アンカーポイントが大域的ヒストグラム領域に表示される、ステップと、
大域的映像セクションおよび大域的ヒストグラム領域を前記大域的現在映像出力セクションに表示するステップと、
を含む、付記１２に記載の方法。
付記１４．オペレータセクションおよびタイムラインをお互いに隣接させて前記映像再生領域の下方に表示するステップであって、前記タイムラインは処理されている映像のフレームの時間を示し、前記タイムラインおよび前記オペレータセクションが前記スクリーン上に同時に表示される、ステップを含む、付記１３に記載の方法。
付記１５．前記処理されている映像のフレームの個々の色ヒストグラムを前記スクリーン上に同時に示す色ヒストグラム領域を表示するステップであって、前記色ヒストグラム領域が前記映像再生領域に隣接する、ステップを含む、付記１４に記載の方法。
付記１６．少なくとも、複数の領域に関する前記領域的可変露出制御手段または前記領域的可変コントラスト制御手段を調整することにより、前記グラフィカルユーザインターフェースを介して映像に変更を加えるステップであって、映像に対する前記変更の視覚的結果が前記映像再生領域に表示される、ステップを含む、付記１５に記載の方法。
付記１７．少なくとも１つのオペレータを前記オペレータセクションに追加することにより前記グラフィカルユーザインターフェースを介して映像に変更を加えるステップであって、映像に対する前記変更の視覚的結果が前記映像再生領域に表示される、ステップを含む、付記１５に記載の方法。